(57)【要約】【課題】本発明は、釣糸放出時に、釣糸がスプールから膨れるように浮き上がったとしても、ラインガイドを介して釣糸に加わる抵抗を確実に軽減できる魚釣用リールを得ることにある。【解決手段】魚釣用リール(1)は、左右の側板(5A, 6A)を有するリール本体(2)と、リール本体(2)の側板(5A, 6A)の間にスプール軸(12)を介して回転自在に支持され、釣糸(10)が巻き付けられるスプール(9)と、スプール(9)の前方においてリール本体(2)の側板(5A, 5B)の間に配置された釣糸案内体(29)と、を具備している。釣糸案内体(29)は、釣糸(10)を巻き取る方向へのハンドル操作に連動してスプール軸(12)と平行に往復動するとともに、釣糸(10)が通るラインガイド(38)を備えている。ラインガイド(38)は、釣糸(10)を下方向から案内する下部案内面(38b)を有している。下部案内面(38b)は、釣糸(10)の繰り出し方向に進むに従い下向きに傾斜する傾斜面(41)を含む。【選択図】図２
2009207369.tif 000002
【特許請求の範囲】
【請求項１】
左右の側板を有するリール本体と、
上記リール本体の側板の間にスプール軸を介して回転自在に支持されるとともに、釣糸が巻き付けられるスプールと、
上記スプールの前方において上記リール本体の側板の間に配置され、釣糸を巻き取る方向へのハンドル操作に連動して上記スプール軸と平行に往復動するとともに、上記釣糸が通るラインガイドを有する釣糸案内体と、を具備し、
上記釣糸を巻き取る時に上記釣糸案内体を往復動させることで、上記釣糸を上記スプールに均等に巻き付けるようにした魚釣用リールであって、
上記釣糸案内体のラインガイドは、上記釣糸を下方向から案内する下部案内面を有し、この下部案内面は、上記釣糸の放出方向に進むに従い下向きに傾斜する傾斜面を含むことを特徴とする魚釣用リール。
【請求項２】
請求項１の記載において、上記傾斜面は、上記下部案内面のうち少なくとも釣糸の放出側の前端部に形成されていることを特徴とする魚釣用リール。
【請求項３】
請求項１の記載において、上記傾斜面は、上記下部案内面の全長に亘って形成されていることを特徴とする魚釣用リール。
【請求項４】
請求項１の記載において、上記ラインガイドは、上記釣糸を上方向から案内する上部案内面を有し、この上部案内面は、上記釣糸の放出方向に進むに従い下向きに傾斜する傾斜面を含むことを特徴とする魚釣用リール。
【請求項５】
請求項４の記載において、上記上部案内面は、上記下部案内面よりも上記釣糸の放出方向に沿う長さ寸法が短いことを特徴とする魚釣用リール。
【発明の詳細な説明】
【技術分野】
【０００１】
本発明は、スプールに釣糸を均等に巻き付けるレベルワインド機構を有する両軸受タイプの魚釣用リールに関する。
【背景技術】
【０００２】
両軸受タイプの魚釣用リールは、釣糸をスプールに均等に巻き付けるためのレベルワインド機構を装備している。レベルワインド機構は、スプールの直前に位置するようにリール本体の左右の側板の間に設けられている。
【０００３】
従来のレベルワインド機構は、側板の間に跨るガイド筒と、このガイド筒の内側に挿通された螺軸と、上記ガイド筒にスライド可能に支持された釣糸案内体とを備えている。螺軸は、外周面にトラバース溝を有するとともに、釣糸を巻き取る方向へのハンドル操作に連動して回転するようになっている。釣糸案内体は、螺軸のトラバース溝に係合する係合ピンと、スプールから繰り出された釣糸が通る筒状のラインガイドとを有している。ハンドル操作に連動して螺軸が回転すると、トラバースの溝の動きが係合ピンを介して釣糸案内体に伝わり、この釣糸案内体がスプールと平行に往復動するようになっている。
【０００４】
このため、ラインガイドに通された釣糸は、釣糸案内体の移動によりスプールの軸方向に移動しつつスプールに巻き付けられることになり、スプールに対する釣糸の巻き形状がスプールの全長に亘って均等となる。
【０００５】
ところで、魚釣用の仕掛けを投擲する際には、釣人はクラッチをＯＦＦにしてスプールをフリーの状態に切り換えた後、サミングによりスプールに適度な制動を加えながら釣竿を狙ったポイントに向けてスイングする。これにより、スプールに巻かれた釣糸が飛翔する仕掛けによって引かれるので、スプールが回転してスプールから釣糸が放出される。
【０００６】
釣糸がスプールから放出される時、この釣糸の放出速度に対してスプールの回転速度が早過ぎると、釣糸は、スプール上の糸巻層の最外周から上方に膨れるように浮き上がった状態でラインガイドを通して前方に勢いよく放出される。
【０００７】
このため、スプールから放出された釣糸がラインガイドを通過する時、釣糸はラインガイドの上部案内面に強く押し付けられて大きな接触抵抗を受けることがあり、これが釣糸の飛距離の低下を招く一つの要因となっている。
【０００８】
そこで、釣糸放出時に釣糸が受ける抵抗を軽減するため、例えば特許文献１に開示された魚釣用リールでは、釣糸が通るラインガイドのうち、釣糸の上側に位置する上部案内面の長さを釣糸の下側に位置する下部案内面の長さよりも短く形成している。
【０００９】
この構成によれば、スプールから釣糸が放出される時に、釣糸が糸巻層の最外周から膨れ上がったとしても、釣糸とラインガイドの上部案内面との接触範囲を小さく抑えることができる。そのため、釣糸に生じる接触抵抗を軽減して釣糸の放出を円滑に行うことができ、釣糸の飛距離を充分に確保できる。
【００１０】
さらに、釣糸放出時に釣糸が受ける抵抗を軽減する他の具体例として、例えば特許文献２に開示された魚釣用リールでは、ラインガイドのうちスプール側の開口幅が釣糸放出側の開口幅よりも大きくなるように、ラインガイドの内周面を釣糸の放出側に向けて先細りのテーパ状に形成することが行われている。
【００１１】
この構成によれば、スプールから釣糸が放出される時に、釣糸がスプール上のどの位置から繰り出されても、釣糸に生じる抵抗を低減することができる。そのため、特許文献１と同様に、スプールからの釣糸の放出を円滑に行うことができ、釣糸の飛距離を充分に確保できる。
【特許文献１】特開２００１−２３１４１６号
【特許文献２】特開２００４−２３１４１６号
【発明の開示】
【発明が解決しようとする課題】
【００１２】
ところで、実際に釣竿をキャスティングした時にスプールから放出される釣糸は、例えば仕掛けの重さ、サミングの仕方、キャスティングの速度、釣糸の太さ・種類・ダメージの程度および風向き等々の影響を受けるのを否めない。
【００１３】
このため、釣糸は、ラインガイドの上部案内面に接しながらリール本体の前方に向けて放出されるとは限らず、最近の実用テストおよび研究結果によれば、スプールから膨れるように浮き上がった釣糸は、スプールの上部から前方斜め下向きに傾斜した姿勢で放出される傾向にあることが明らかとなり、この時にラインガイドとの間に生じる摩擦抵抗が釣糸の飛距離低下の一因であることが判明した。
【００１４】
したがって、特許文献１および特許文献２に開示された魚釣用リールのように、ラインガイドの上部案内面の形状を工夫したり、ラインガイドのスプール側の開口幅を広げただけでは、釣糸放出時にラインガイドを介して釣糸に加わる接触抵抗を充分に減らすことができず、釣糸の飛距離を向上させる上で今一歩改善の余地が残されている。
【００１５】
本発明の目的は、釣糸放出時に、釣糸がスプールから膨れるように浮き上がったとしても、ラインガイドを介して釣糸に加わる抵抗を確実に軽減することができ、釣糸の飛距離を向上させることができる魚釣用リールを得ることにある。
【課題を解決するための手段】
【００１６】
上記目的を達成するため、本発明の一つの形態に係る魚釣用リールは、  
左右の側板を有するリール本体と、  
上記リール本体の側板の間にスプール軸を介して回転自在に支持されるとともに、釣糸が巻き付けられるスプールと、  
上記スプールの前方において上記リール本体の側板の間に配置された釣糸案内体と、を具備している。  
釣糸案内体は、釣糸を巻き取る方向へのハンドル操作に連動して上記スプール軸と平行に往復動するとともに、上記釣糸が通るラインガイドを備えている。ラインガイドは、上記釣糸を下方向から案内する下部案内面を有し、この下部案内面は、上記釣糸の放出方向に進むに従い下向きに傾斜する傾斜面を含むことを特徴としている。
【発明の効果】
【００１７】
本発明によれば、釣糸がスプールから膨れるように浮き上がってスプールの上部から前方斜め下向きに放出された場合、釣糸は下部案内面の傾斜面に沿うようにしてラインガイドを通過する。このため、釣糸がラインガイドを通過する時に、釣糸がラインガイドとの接触により強く折れ曲がったり、放出方向が強制的に変更されることはない。よって、ラインガイドを介して釣糸に加わる接触抵抗を確実に軽減することができ、釣糸の飛距離を向上させることができる。
【発明を実施するための最良の形態】
【００１８】
以下本発明の第１の実施の形態を、図１ないし図４に基づいて説明する。
【００１９】
図１および図２は、両軸受タイプの魚釣用リール１を開示している。魚釣用リール１は、リール本体２を備えている。リール本体２は、釣竿取り付け部３を介して図示しない釣竿のリールシートに固定される。
【００２０】
リール本体２は、フレーム４と左右の側板５Ａ，６Ａとを備えている。フレーム４は、左右の側枠４ａ，４ｂを有している。側枠４ａ，４ｂは、支柱４ｃを介して互いに連結されているとともに、魚釣用リール１の幅方向に間隔を存して向かい合っている。側板５Ａ，６Ａは、フレーム４の側枠４ａ，４ｂと、側枠４ａ，４ｂの側部に密着される左右の外側板５，６とで形成されている。
【００２１】
左側の外側板５は、左側の側枠４ａにねじ止め、嵌合等の公知の手段により固定されて、側枠４ａを左側方から覆っている。右側の外側板６は、右側の側枠４ｂにねじ止め、嵌合等の公知の手段により固定されている。外側板６は、側枠４ｂを右側方から覆うとともに、この側枠４ｂとの間にギヤ室７を形成している。
【００２２】
リール本体２の側板５Ａ，６Ａの間にスプール９が回転自在に支持されている。スプール９は、釣糸１０が巻き付けられる釣糸巻回胴部１１と、この釣糸巻回胴部１１と一体に回転するスプール軸１２とを備えている。
【００２３】
釣糸巻回胴部１１の外周面上には、釣糸１０の巻き付けに伴って糸巻層１０ａが形成されている。スプール軸１２の一端は、軸受１３を介してフレーム４の側枠４ａ又は外側板５に回転自在に支持されている。スプール軸１２の他端は、他の軸受１４を介してフレーム４の側枠４ｂに回転自在に支持されている。
【００２４】
図１および図２に示すように、リール本体２のフレーム４にサムレスト１５が一体に形成されている。サムレスト１５は、サミングを行う時に親指を当てるためのものであり、側枠４ａ，４ｂの上縁部の間に跨るようなフラットな板状をなしている。
【００２５】
サムレスト１５の下面と後面とで規定される角部は、釣糸巻回胴部１１に巻回された糸巻層１０ａの上部最外周の直前に位置している。このサムレスト１５の角部に、バックラッシュ発生時における釣糸１０の膨出を抑える膨出抑制部材１６が設置されている。膨出抑制部材１６は、例えば硬質のメッキ処理を施したステンレス鋼、あるいはアルマイト処理を施したアルミニウム合金製の線材により形成されている。
【００２６】
膨出抑制部材１６は、フレーム４の側枠４ａ，４ｂの間に掛け渡されて、スプール９からの釣糸１０の放出方向と直交するようにリール本体２の幅方向に一直線状に延びている。膨出抑制部材１６は、その一端を一方の外側板５又は６の開口端面に突き当てることで、リール本体２に抜け止め保持されている。膨出抑制部材１６は、釣糸１０との接触に伴う摺動抵抗を軽減するため円形の断面を有することが好ましい。
【００２７】
なお、膨出抑制部材１６は、サムレスト１１とは別の部材により構成することに限らず、例えばサムレスト１１の角部に一体に形成してもよい。
【００２８】
図１に示すように、リール本体２のギヤ室７にピニオンギヤ１７、クラッチ機構１８およびハンドル軸１９が収容されている。ピニオンギヤ１７は、スプール軸１２と同軸状に配置されているとともに、スプール軸１２に噛み合う係合位置と、スプール軸１２から切り離される係合解除位置との間で移動可能となっている。
【００２９】
クラッチ機構１８は、クラッチ駆動部材２０とクラッチレバー２１とを有している。クラッチ駆動部材２０は、クラッチ機構１８がＯＮの時にピニオンギヤ１７を係合位置に移動させるとともに、クラッチ機構１８がＯＦＦの時にピニオンギヤ１７を係合解除位置に移動させる。クラッチレバー２１は、クラッチ機構１８をＯＮ・ＯＦＦ操作するためのものであり、スプール９の直後に位置するようにフレーム４の側枠４ａ，４ｂの間に上下動可能に配置されている。
【００３０】
ハンドル軸１９は、ピニオンギヤ１７と平行に配置されている。ハンドル軸１９は、図示しないドラグ機構を内蔵するドライブギヤ２２を支持している。ドライブギヤ２２は、ギヤ室７内でピニオンギヤ１７と噛み合っている。さらに、ハンドル軸１９は、外側板６を貫通してリール本体２の右側方に突出している。ハンドル軸１９の突出端部に釣糸１０を巻き取る際に手で操作するハンドル２３が取り付けられている。
【００３１】
このため、クラッチ機構１８がＯＮの時にハンドル２３を手で回すと、ハンドル軸１９の回転がドライブギヤ２２からピニオンギヤ１７を経由してスプール軸１２に伝わり、スプール９が釣糸１０を巻き取る方向に回転する。
【００３２】
図１および図２に示すように、魚釣用リール１は、レベルワインド機構２５を備えている。レベルワインド機構２５は、釣糸１０を巻き取る時に、この釣糸１０をスプール９の軸方向に移動させて釣糸巻回胴部１１に均等に巻き付けるためのものであり、スプール９の前方に配置されている。
【００３３】
レベルワインド機構２５は、ガイド軸２６、筒体２７、螺軸２８および釣糸案内体２９を備えている。ガイド軸２６および筒体２７は、フレーム４の側枠４ａ，４ｂの間に架け渡されて、スプール軸１２と平行に配置されている。さらに、ガイド軸２６および筒体２７は、リール本体２の高さ方向に間隔を存して互いに平行に配置されている。
【００３４】
図２および図４に示すように、螺軸２８は、外周面にトラバース溝３１を有するとともに、筒体２７を同軸状に貫通している。螺軸２８の一端は、リール本体２のギヤ室７に導入されて、ドライブギヤ２２と噛み合っている。このため、螺軸２８は、ハンドル軸１９と連動して回転するようになっている。
【００３５】
図３および図４に示すように、釣糸案内体２９は、ガイド軸２６および筒体２７が摺動可能に貫通するボス部３２と、このボス部３２から上方に向けて一体に延出する支持部３３とを備えている。ボス部３２は、ガイド軸２６および筒体２７に支持されて、スプール軸１２の軸方向に直線的に往復動が可能となっている。
【００３６】
ボス部３２に係合ピン３４が取り付けられている。係合ピン３４は、リール本体２の前方からボス部３２および筒体２７を貫通するとともに、その貫通端３４ａがトラバース溝３１に係合している。この係合により、螺軸２８がハンドル操作に連動して回転すると、トラバース溝３１の動きに追従して釣糸案内体２９がスプール軸１２の軸方向に直線的に往復動するようになっている。
【００３７】
さらに、ボス部３２の前面にナット３５がねじ込まれている。ナット３５は、係合ピン３４をボス部３２に抜け止め保持するためのものであり、ボス部３２の前面からリール本体２の前方に向けて突出している。
【００３８】
このようにナット３５をリール本体２の前方に突出させた姿勢で配置すれば、魚釣用リール１の高さ寸法を低く抑えることができる。したがって、釣竿のリールシートの上方に向けて魚釣用リール１が大きく張り出すのを防止でき、例えばキャスティング時に釣人が手の指先でリール本体２を把持する際の取り扱いが容易となる。
【００３９】
図２に示すように、釣糸案内体２９の支持部３３は、サムレスト１５の前端部の下方に位置している。支持部３３の前面は、その上端から下端の方向に進むに従いリール本体２の前方に向けて突出するように傾斜している。この傾斜により、支持部３３の前面の下端部は、サムレスト１５よりも前方に張り出している。支持部３３の後面は、釣竿の軸線に対し略垂直に起立している。
【００４０】
支持部３３に縦長の嵌合孔３７が形成されている。嵌合孔３７は、支持部３３の前面および後面に開口している。支持部３３の嵌合孔３７に、釣糸１０を通すラインガイド３８が取り付けられている。ラインガイド３８は、縦方向に偏平な中空筒状をなしており、例えばセラミックスまたは硬質のメッキ処理を施したステンレス鋼、あるいはアルマイト処理を施したアルミニウム合金により形成されている。
【００４１】
ラインガイド３８は、釣糸案内体２９の前方から嵌合孔３７に嵌め込まれるとともに、例えば接着あるいはかしめ等の手段により支持部３３に固定されている。この固定により、ラインガイド３８は、スプール９の回転中心Ｏ１よりも上方に位置している。
【００４２】
さらに、ラインガイド３８の前面は、支持部３３の前面に沿うようにラインガイド３８の上端から下端に進むに従い前方に突出するように傾斜している。ラインガイド３８の後面は、支持部３３の後面から後方のスプール９に向けて僅かに突出している。
【００４３】
図３および図４に示すように、ラインガイド３８は、上部案内面３８ａ、下部案内面３８ｂおよび左右の側部案内面３８ｃ，３８ｄを有している。上部案内面３８ａは、ラインガイド３８を貫通する釣糸１０を上方向から案内するためのものであり、スプール９の釣糸巻回胴部１１に巻回された糸巻層１０ａの上部最外周よりも下方に位置している。
【００４４】
下部案内面３８ｂは、ラインガイド３８を貫通する釣糸１０を下方向から案内するためのものであり、上部案内面３８ａと向かい合っている。本実施の形態では、ラインガイド３８の軸方向に沿う上部案内面３８ａの長さＬ１は、ラインガイド３８の前面の傾斜に伴ってラインガイド３８の軸方向に沿う下部案内面３８ｂの長さＬ２よりも短くなっている。
【００４５】
側部案内面３８ｃ，３８ｄは、ラインガイド３９を貫通する釣糸１０を左側方および右側方から案内するためのものである。側部案内面３８ｃ，３８ｄは、上部案内面３８ａと下部案内面３８ｂとの間を結ぶとともに、釣糸１０を間に挟んで互いに平行となるように向かい合っている。
【００４６】
図４に示すように、ラインガイド３８の上部案内面３８ａは、スプール９からの釣糸１０の放出方向に進むに従い下向きに傾斜する傾斜面４０を含んでいる。傾斜面４０は、上部案内面３８ａの全長に亘って形成されている。
【００４７】
ラインガイド３８の下部案内面３８ｂは、スプール９からの釣糸１０の放出方向に進むに従い下向きに傾斜する傾斜面４１を含んでいる。傾斜面４１は、釣糸１０の放出方向に沿って滑らかな円弧を描くように湾曲されている。
【００４８】
さらに、傾斜面４１は、釣糸１０の放出側である下部案内面３８ｂの前端から後端に向けて下部案内面３８ｂの前後方向の長さの少なくとも１／３に相当する領域に形成することが望ましい。下部案内面３８ｂのうち傾斜面４１を除いた領域は、リール本体２の前後方向に延びる略水平な平面となっている。
【００４９】
傾斜面４１の傾斜角度は、図２に示す釣竿取り付け部３の下面３ａを通る釣竿の長手方向に沿う線Ｘに対して３°〜３０°の範囲内に設定するのが望ましい。この傾斜面４１の傾斜角度や前後方向の長さは、例えばリール１の形態、サイズ（糸巻容量）等に応じて適宜設定される。
【００５０】
このような構成の魚釣用リール１において、魚釣用の仕掛けを投擲する際には、釣人はクラッチレバー２１を指先で操作することにより、クラッチ機構１８をＯＮからＯＦＦに切り換える。これにより、スプール９が自由に回転し得る状態に移行するので、サミングによりスプール９に適度な制動を加えながら釣竿を狙ったポイントに向けてスイングする。スプール９に巻かれた釣糸１０は、飛翔する仕掛けにより強く引かれるので、スプール９が釣糸１０を繰り出す方向に高速で回転し、スプール９の釣糸巻回胴部１１から釣糸１０が順次放出されていく。
【００５１】
釣糸１０がスプール９から放出される時、釣糸１０の放出速度に対してスプール９の回転速度が早過ぎると、釣糸１０は、スプール９の糸巻層１０ａの最外周から上方に膨れるように浮き上がった状態でラインガイド３８を通って前方に勢いよく引き出される。
【００５２】
そのため、スプール９の上方に浮き上がった釣糸１０は、図２の放出ラインＡで示すように、糸巻層１０ａの上部最外周からサムレスト１５の下方を通ってスプール９の前方向に略真っ直ぐに放出される場合と、図２の放出ラインＢで示すように、糸巻層１０ａの上部最外周からサムレスト１５の下方を通ってスプール９の前方斜め下方に向けて放出される場合とがある。
【００５３】
最近の実用テストおよび研究結果によれば、スプール９から放出される釣糸１０は、例えば仕掛けの重さ、キャスティング速度、風向きおよび風の強さ等の影響を受けるので、放出ラインＡよりもむしろ放出ラインＢの方向に沿って放出される傾向にあることが明らかとなりつつある。
【００５４】
釣糸１０が放出ラインＢの方向に沿って放出される場合、釣糸１０は、ラインガイド３８を前方斜め下向きに傾斜した状態で通過し、ラインガイド３８の下部案内面３８ｂの前半部分に接触する。本実施の形態によると、下部案内面３８ｂの前端から下部案内面３８の長さＬ２の１／３以上の範囲は、釣糸１０の放出方向に進むに従い下向きに傾斜する傾斜面４１となっている。そのため、スプール９から放出ラインＢの方向に放出された釣糸１０は、傾斜面４１に沿うようにしてラインガイド３８を通過する。
【００５５】
この結果、放出ラインＢの方向に沿って放出された釣糸１０は、ラインガイド３８との強い接触によって折れ曲がったり、放出方向を強制的に変更されることなくラインガイド３８から放出される。しかも、本実施の形態では、傾斜面４１が釣糸１０の放出方向に沿って滑らかな円弧を描くように湾曲しているので、釣糸１０と傾斜面４１との接触範囲も狭くなる。
【００５６】
したがって、ラインガイド３８を介して釣糸１０に加わる接触抵抗を確実に軽減することができ、釣糸１０の飛距離を向上させることができる。
【００５７】
一方、釣糸１０が放出ラインＡの方向に放出される場合、釣糸１０は、ラインガイド３８の上部案内面３８ａに接触しながらラインガイド３８を通過する。上部案内面３８ａの長さＬ１は、下部案内面３８ｂの長さＬ２よりも短いので、ラインガイド３８と釣糸１０との接触長さが短くなる。それとともに、上部案内面３８ａも釣糸１０の放出方向に進むに従い下向きに傾斜する傾斜面４０となっているので、釣糸１０は、傾斜面４０に沿うようにしてラインガイド３８を通過する。
【００５８】
したがって、釣糸１０が放出ラインＡの方向に放出された場合でも、ラインガイド３８から釣糸１０に加わる接触抵抗を確実に軽減することができ、釣糸１０の飛距離を向上させることができる。
【００５９】
さらに、釣糸１０の放出時にバックラッシュが生じて糸巻層１０ａの外周部分が膨れるように浮き上がると、サムレスト１５の角部に位置する膨出抑制部材１６が浮き上がろうとする糸巻層１０ａに上側から接触する。そのため、糸巻層１０ａの外周部分がリール本体２の上方に向けて大きく浮き上がるのを抑制できるとともに、釣糸１０やサムレスト１５の下面に傷が付くのを防止することができる。
【００６０】
加えて、釣糸１０をスプール９に巻き取る時は、釣糸１０に張力が加わるので、釣糸１０は、ラインガイド３８の下部案内面３８ｂに接した状態でラインガイド３８を通過する。釣糸１０をスプール９に巻き取っていく過程では、釣糸案内体２９がハンドル２３の巻き取り動作に追従してスプール９の軸方向に往復動するとともに、掛かった魚や仕掛けの動きが釣糸１０に伝わるので、釣糸１０の張り具合および巻き取り方向が刻々と変化する。
【００６１】
しかるに、上記第１の実施の形態によると、ラインガイド３８の下部案内面３８ｂの長さＬ２が上部案内面３８ａの長さＬ１よりも長く形成されているので、スプール９に巻き取られる釣糸１０と下部案内面３８ａとの接触面積を充分に確保できる。それとともに、下部案内面３８ｂが上部案内面３８ａよりもスプール９の前方に張り出しているので、スプール９に向かう釣糸１０を早い段階からラインガイド３８で受け止めることができる。
【００６２】
このため、張力が加わった釣糸１０を安定した状態でスプール９に案内することができ、釣糸１０の巻き取り操作を容易に行なえるとともに、釣糸１０に与えるダメージも少なくて済むといった利点がある。
【００６３】
なお、本発明は上記第１の実施の形態に特定されるものではなく、発明の主旨を逸脱しない範囲内で種々変更して実施できる。
【００６４】
図５および図６は、本発明の第２の実施の形態を開示している。
【００６５】
この第２の実施の形態では、ラインガイド３８の下部案内面３８ｂの傾斜面４１が、下部案内面３８ｂの全長に亘って一直線状に形成されている。
【００６６】
このような構成においても、スプール９から放出ラインＢに沿って放出された釣糸１０は、下部案内面３８ｂとの接触によって強く折れ曲がったり、放出方向を強制的に変更することなくラインガイド３８から放出されることになり、釣糸１０に加わる接触抵抗を軽減することができる。
【００６７】
図７は、本発明の第３の実施の形態を開示している。
【００６８】
この第３の実施の形態は、ラインガイド３８の上部案内面３８ａをリール本体２の前後方向に延びる略水平な平面とした点が上記第１の実施の形態と相違しており、それ以外の構成は、第１の実施の形態と同様である。
【００６９】
図８は、本発明の第４の実施の形態を開示している。
【００７０】
この第４の実施の形態では、ラインガイド３８の軸方向に沿う上部案内面３８ａの長さＬ１と、ラインガイド３８の軸方向に沿う下部案内面３８ｂの長さＬ２とが互いに同等に形成されている。さらに、下部案内面３８ｂの傾斜面４１は、湾曲することなく一直線状に延びており、この傾斜面４１の後端が滑らかな円弧を描いて下部案内面３８ｂの水平な部分に連なっている。
【００７１】
このような構成においても、スプール９から放出ラインＢに沿って放出された釣糸１０は、傾斜面４１に沿うようにしてラインガイド３８を通過する。したがって、上記第１の実施の形態と同様に、ラインガイド３８を介して釣糸１０に加わる接触抵抗を確実に軽減することができる。
【００７２】
さらに、上記第１の実施の形態では、ラインガイドを縦方向に偏平な中空筒状に形成したが、ラインガイドの形状はこれに限らず、例えば円形の開口形状を有する中空筒状であってもよい。
【図面の簡単な説明】
【００７３】
【図１】本発明の第１の実施の形態に係る両軸受タイプの魚釣用リールの平面図。
【図２】図１のF2-F2線に沿う断面図。
【図３】本発明の第１の実施の形態に係る釣糸案内体の正面図。
【図４】図３のF4-F4線に沿う断面図。
【図５】本発明の第２の実施の形態に係る釣糸案内体の正面図。
【図６】図５のF6-F6線に沿う断面図。
【図７】本発明の第３の実施の形態に係る釣糸案内体の断面図。
【図８】本発明の第４の実施の形態に係る釣糸案内体の断面図。
【符号の説明】
【００７４】
２…リール本体、５Ａ，６Ａ…側板、９…スプール、１０…釣糸、１２…スプール軸、２９…釣糸案内体、３８…ラインガイド、３８ｂ…下部案内面、４１  …傾斜面。
【図１】
2009207369.tif 000003
【図２】
2009207369.tif 000004
【図３】
2009207369.tif 000005
【図４】
2009207369.tif 000006
【図５】
2009207369.tif 000007
【図６】
2009207369.tif 000008
【図７】
2009207369.tif 000009
【図８】
2009207369.tif 000010